(57)【要約】一般推薦語および広告推薦語自動完成システムは、一般自動完成推薦語を記録して保持する一般自動完成推薦語データベースと、広告自動完成推薦語を記録して保持する広告推薦語データベースと、一般自動完成推薦語および広告自動完成推薦語を字素単位、音節単位、またはサフィックスによって索引する自動完成索引器と、索引された一般自動完成推薦語および広告自動完成推薦語を字素単位索引、音節単位索引、またはサフィックス索引別に区分して記録する自動完成索引データベースと、ユーザからユーザ入力事項を受信して所定の質問自動完成サーバに伝達し、質問自動完成サーバから一般自動完成推薦語および広告自動完成推薦語を受信して所定のウェブページ上に出力するウェブサーバと、ウェブサーバからユーザ入力事項が伝達され、自動完成索引データベースからユーザ入力事項と関連した一般自動完成推薦語および広告自動完成推薦語を抽出してウェブサーバに送信する質問自動完成サーバとを備えることを特徴とする。【選択図】図２
2009528614.tif 000002
【特許請求の範囲】
【請求項１】
一般自動完成推薦語を記録して保持する一般自動完成推薦語データベースと、
広告自動完成推薦語を記録して保持する広告推薦語データベースと、
前記一般自動完成推薦語および前記広告自動完成推薦語を字素単位、音節単位、またはサフィックスによって索引する自動完成索引器と、
前記索引された一般自動完成推薦語および前記広告自動完成推薦語を字素単位索引、音節単位索引、またはサフィックス索引別に区分して記録する自動完成索引データベースと、
ユーザからユーザ入力事項を受信して所定の質問自動完成サーバに伝達し、前記質問自動完成サーバから一般自動完成推薦語および広告自動完成推薦語を受信して所定のウェブページ上に出力するウェブサーバと、
前記ウェブサーバから前記ユーザ入力事項が伝達され、前記質問語索引データベースから前記ユーザ入力事項と関連した一般自動完成推薦語および広告自動完成推薦語を抽出して前記ウェブサーバに送信する質問自動完成サーバと、
を備えることを特徴とする一般推薦語および広告推薦語自動完成システム。
【請求項２】
前記ウェブサーバは、
所定の出力領域の一定部分を広告領域として特化し、前記出力領域には前記一般自動完成推薦語を出力し、前記広告領域には前記広告自動完成推薦語を出力することを特徴とする請求項１に記載の一般推薦語および広告推薦語自動完成システム。
【請求項３】
前記ウェブサーバは、
前記広告自動完成推薦語を前記一般自動完成推薦語と差別表示して出力することを特徴とする請求項１に記載の一般推薦語および広告推薦語自動完成システム。
【請求項４】
前記広告自動完成推薦語を所定の広告主に販売し、前記広告自動完成推薦語を前記ウェブページ上に露出することによる広告費用を前記広告主に課金する課金サーバ、
を備えることを特徴とする請求項１に記載の一般推薦語および広告推薦語自動完成システム。
【請求項５】
前記課金サーバは、
前記ユーザから前記広告自動完成推薦語がクリックされるクリック回数をカウントし、前記クリック回数に応じて前記広告費用を課金することを特徴とする請求項４に記載の一般推薦語および広告推薦語自動完成システム。
【請求項６】
前記課金サーバは、
所定の一定期間の間に前記広告自動完成推薦語を前記ウェブページ上に露出し、前記露出された一定期間に応じて前記広告費用を課金することを特徴とする請求項４に記載の一般推薦語および広告推薦語自動完成システム。
【請求項７】
前記ウェブサーバは、前記ユーザから前記ユーザ入力事項と共に設定モードが伝達され、
前記設定モードは、字素単位索引、音節単位索引、またはサフィックス索引のうちの少なくとも１つの索引に対する選択情報を含み、
前記質問自動完成サーバは、前記自動完成索引データベースから前記選択された索引に該当する前記ユーザ入力事項および前記設定モードと関連した一般自動完成推薦語および広告自動完成推薦語を抽出することを特徴とする請求項１に記載の一般推薦語および広告推薦語自動完成システム。
【請求項８】
一般自動完成推薦語を所定の一般自動完成推薦語データベースに記録して保持するステップと、
広告自動完成推薦語を所定の広告推薦語データベースに保持するステップと、
所定の自動完成索引器で前記一般自動完成推薦語および前記広告自動完成推薦語を字素単位、音節単位、またはサフィックスによって索引するステップと、
前記索引された一般自動完成推薦語および前記広告自動完成推薦語を字素単位索引、音節単位索引、またはサフィックス索引別に区分して所定の自動完成索引データベースに記録するステップと、
所定のウェブサーバでユーザからユーザ入力事項を受信して所定の質問自動完成サーバに伝達するステップと、
前記質問自動完成サーバで前記ウェブサーバから前記ユーザ入力事項が伝達されるステップと、
前記質問自動完成サーバで前記自動完成索引データベースから前記ユーザ入力事項と関連した一般自動完成推薦語および広告自動完成推薦語を抽出して前記ウェブサーバに送信するステップと、
前記ウェブサーバで前記質問自動完成サーバから一般自動完成推薦語および広告自動完成推薦語を受信して所定のウェブページ上に出力するステップと、
を含むことを特徴とする一般推薦語および広告推薦語自動完成方法。
【請求項９】
前記ウェブサーバで一般自動完成推薦語および広告自動完成推薦語を所定のウェブページ上に出力する前記ステップは、
所定の出力領域の一定部分を広告領域として特化し、前記出力領域には前記一般自動完成推薦語を出力し、前記広告領域には前記広告自動完成推薦語を出力するステップであることを特徴とする請求項８に記載の一般推薦語および広告推薦語自動完成方法。
【請求項１０】
前記広告領域に前記広告自動完成推薦語を出力する前記ステップは、
前記広告自動完成推薦語を前記一般自動完成推薦語と差別表示して出力するステップであることを特徴とする請求項９に記載の一般推薦語および広告推薦語自動完成方法。
【請求項１１】
前記広告自動完成推薦語を所定の広告主に販売し、前記広告自動完成推薦語を前記ウェブページ上に露出することによる広告費用を前記広告主に課金するステップ、
をさらに含むことを特徴とする請求項８に記載の一般推薦語および広告推薦語自動完成方法。
【請求項１２】
前記広告自動完成推薦語を前記ウェブページ上に露出することによる広告費用を前記広告主に課金する前記ステップは、
前記ユーザから前記広告自動完成推薦語がクリックされるクリック回数をカウントし、前記クリック回数に応じて前記広告費用を課金するステップであることを特徴とする請求項１１に記載の一般推薦語および広告推薦語自動完成方法。
【請求項１３】
前記広告自動完成推薦語を前記ウェブページ上に露出することによる広告費用を前記広告主に課金する前記ステップは、
所定の一定期間の間に前記広告自動完成推薦語を前記ウェブページ上に露出し、前記露出された一定期間に応じて前記広告費用を課金するステップであることを特徴とする請求項１１に記載の一般推薦語および広告推薦語自動完成方法。
【請求項１４】
ウェブサーバでユーザからユーザ入力事項を受信して質問自動完成サーバに伝達する前記ステップは、
前記ウェブサーバで前記ユーザから前記ユーザ入力事項と共に設定モードを受信して前記質問自動完成サーバに伝達するステップを含み、
前記設定モードは、字素単位索引、音節単位索引、またはサフィックス索引のうちの少なくとも１つの索引に対する選択情報を含み、
質問自動完成サーバでユーザ入力事項と関連した一般自動完成推薦語および広告自動完成推薦語を抽出してウェブサーバに送信する前記ステップは、
前記質問自動完成サーバで前記自動完成索引データベースから前記選択された索引に該当する前記ユーザ入力事項および前記設定モードと関連した一般自動完成推薦語および広告自動完成推薦語を抽出して前記ウェブサーバに送信するステップを含むことを特徴とする請求項８に記載の一般推薦語および広告推薦語自動完成方法。
【請求項１５】
請求項８〜１４のうちのいずれか一項の方法を実行させるためのプログラムを記録したコンピュータ読み取り可能な記録媒体。
【発明の詳細な説明】
【技術分野】
【０００１】
本発明は、一般自動完成推薦語および広告自動完成推薦語を記録し、ユーザから受信されたユーザ入力事項に応じて該当する一般自動完成推薦語および広告自動完成推薦語を抽出してユーザに提供することで、広告効果を極大化することができる一般推薦語および広告推薦語自動完成システムおよび方法に関する。
【背景技術】
【０００２】
一般的に、検索サービスを提供する検索ウェブサイトは、ユーザから質問語が入力されれば、この質問語に対応する検索結果（例えば、質問語を含むウェブサイト、質問語を含む記事、質問語を含むファイル名を有するイメージなど）をユーザに提供する。
【０００３】
現在、検索サービスは、次第にユーザの便宜を極大化する方向に改善されているが、このような改善の方向の大きな流れは、ユーザが適合した質問語を入力するときに満足し得る検索結果を提供することは勿論、ユーザが不適合な質問語を入力するときにもユーザを満足させることができる適切な検索結果を提供するものでなければならない。特に、検索サービスのユーザ層の拡大にるよる適切な質問語に対する十分な背景知識がないユーザの増加に伴い、ユーザに適切なクエリをガイド（ｇｕｉｄｅ）する必要性が提起されている。
【０００４】
また、検索サービスにおいて、ユーザが検索窓に誤打（mistype）を入力する場合には、これをどのように処理し、ユーザを満足させる適切な検索結果を提供するのかに対する悩みも存在する。このような誤打は、例えば、（１）「エマ・ワトソン」と「エマ・ワトスン」の場合のように発音の類似や外来語表記から混同が生じる場合、（２）「ウルグアイラウンド」、「アンナの日記」のように視覚的に類似した文字から混同が生じる場合、（３）「］」、「！」のようにユーザがキーボードを介して特殊文字を入力した場合、（４）「エフ．ビー．アイ」のように英語または英語字母をハングルで記す場合などに発生する恐れがあるが、このような誤打入力の問題に対する積極的な解決策が必要である。
【０００５】
しかしながら、従来の検索サービスでは、（１）予め定義された変換リストを用い、ユーザが検索窓にある質問語を入力して検索実行を要請した際、この質問語が変換リストに存在する場合に質問語を予め定義された他の質問語に変換して検索結果を出力する方法、（２）ユーザが誤った質問語を入力しても、これによる検索結果を出力した後に、ユーザに１つ以上の他の質問語を推薦する方法など、消極的な解決方法のみが用いられている。
【０００６】
すなわち、（１）の方法には、ユーザが実際に所望しない質問語に対する検索結果を出力する可能性が高いという問題点があり、（２）の方法には、すでに誤って入力された質問語に対する検索結果を一度出力した後に他の質問語を推薦するため、ユーザが再び質問語を選択して検索実行を要請しなければならないという煩わしさが存在する。
【０００７】
さらに、（１）および（２）の方法によれば、検索サービスを提供する会社では、多くの人力を投資して可能性のある誤打を作成してこれを変換リストまたは推薦リストに追加しなければならないという消耗的な作業を繰り返して実行しなければならないという問題点があり、これによってサイト登録やコンテンツ検索製作などの他の重要な分野に対して多様なエラーが発生し、生産性が低下するという問題点も発生する。
【０００８】
これにより、検索サービスの誤打訂正機能を大きく強化するために、ユーザが質問語を入力する前に誤打を防ぐことができ、特に、質問語ログを多様な基準による索引別に区分し、ユーザのウェブブラウザから受信されるユーザ入力事項および設定モードに応じてユーザが入力中である質問語を自動で完成することができる新しい技術の出現が求められてきた。
【発明の開示】
【発明が解決しようとする課題】
【０００９】
本発明は、上述したような従来技術の問題点を解決するために案出されたものであって、ユーザから入力されたユーザ入力状況に合わせて一般自動完成推薦語と共に広告のための広告自動完成推薦語を提示することで、広告効果を極大化させることができる一般推薦語および広告推薦語自動完成システムおよび方法に関する。
【００１０】
また、本発明に係る一般推薦語および広告推薦語自動完成システムおよび方法は、ウェブサーバで一般自動完成推薦語を提示する出力領域の一定部分を広告領域として特化し、広告領域に出力される広告自動完成推薦語を広告主に販売することで、新しい収益モデルを構築することを目的とする。
【００１１】
また、本発明に係る一般推薦語および広告推薦語自動完成システムおよび方法は、広告領域に出力される広告自動完成推薦語に対してクリック回数または広告自動完成推薦語露出期間に応じて広告費用を決定し、広告費用を広告主に課金させることで、広告自動完成推薦語をユーザに提示することによる収益を新たに創出することができることを他の目的とする。
【００１２】
さらに、本発明に係る一般推薦語および広告推薦語自動完成システムおよび方法は、一般自動完成推薦語および広告自動完成推薦語を多様な基準による索引別に区分し、ユーザから受信されるユーザ入力事項および設定モードに応じてユーザが入力中である質問語を自動で完成することができる自動完成質問語リストを提供することで、ユーザが質問語を入力する途中に所望する質問語を選択し、容易に質問語を完成できるようにすることをさらに他の目的とする。
【課題を解決するための手段】
【００１３】
上記した目的を達成し、上述した従来技術の問題点を解決するために、本発明の一実施形態に係る一般推薦語および広告推薦語自動完成システムは、一般自動完成推薦語を記録して保持する一般自動完成推薦語データベースと、広告自動完成推薦語を記録して保持する広告推薦語データベースと、前記一般自動完成推薦語および前記広告自動完成推薦語を字素単位、音節単位、またはサフィックス（ｓｕｆｆｉｘ）によって索引（ｉｎｄｅｘｉｎｇ）する自動完成索引器と、前記索引された一般自動完成推薦語および前記広告自動完成推薦語を字素単位索引、音節単位索引、またはサフィックス索引別に区分して記録する自動完成索引データベースと、ユーザからユーザ入力事項を受信して所定の質問自動完成サーバに伝達し、前記質問自動完成サーバから一般自動完成推薦語および広告自動完成推薦語を受信して所定のウェブページ上に出力するウェブサーバと、前記ウェブサーバから前記ユーザ入力事項が伝達され、前記自動完成索引データベースから前記ユーザ入力事項と関連した一般自動完成推薦語および広告自動完成推薦語を抽出して前記ウェブサーバに送信する質問自動完成サーバとを備えることを特徴とする。
【００１４】
また、本発明の他の実施形態に係る一般推薦語および広告推薦語自動完成方法は、一般自動完成推薦語を所定の一般自動完成推薦語データベースに記録して保持するステップと、広告自動完成推薦語を所定の広告推薦語データベースに保持するステップと、所定の自動完成索引器で前記一般自動完成推薦語および前記広告自動完成推薦語を字素単位、音節単位、またはサフィックスによって索引するステップと、前記索引された一般自動完成推薦語および前記広告自動完成推薦語を字素単位索引、音節単位索引、またはサフィックス索引別に区分して所定の自動完成索引データベースに記録するステップと、所定のウェブサーバでユーザからユーザ入力事項を受信して所定の質問自動完成サーバに伝達するステップと、前記質問自動完成サーバで前記ウェブサーバから前記ユーザ入力事項が伝達されるステップと、前記質問自動完成サーバで前記自動完成索引データベースから前記ユーザ入力事項と関連した一般自動完成推薦語および広告自動完成推薦語を抽出して前記ウェブサーバに送信するステップと、前記ウェブサーバで前記質問自動完成サーバから一般自動完成推薦語および広告自動完成推薦語を受信して所定のウェブページ上に出力するステップとを含むことを特徴とする。
【発明を実施するための最良の形態】
【００１５】
以下、添付の図面を参照しながら、本発明に係る一般推薦語および広告推薦語自動完成システムおよび方法について詳細に説明する。
【００１６】
図１は、本発明に係る一般推薦語および広告推薦語自動完成システムのネットワーク連結を示す図である。
【００１７】
一般推薦語および広告推薦語自動完成システム１００（以下、推薦語自動完成システムとする）は、一般自動完成推薦語を所定の一般自動完成推薦語データベースに記録して保持し、広告自動完成推薦語を所定の広告推薦語データベースに記録する。本実施形態によれば、推薦語自動完成システム１００は、自動完成索引器を用いて一般自動完成推薦語および広告自動完成推薦語を字素単位、音節単位、またはサフィックスによって索引し、索引された一般自動完成推薦語および広告自動完成推薦語を字素単位索引、音節単位索引、またはサフィックス索引別に区分して自動完成索引データベースに記録する。
【００１８】
ユーザは、ユーザ端末機１０１を用い、有無線通信網を介して推薦語自動完成システム１００のウェブサーバに接続して質問語を入力する。
【００１９】
この場合に、ウェブサーバは、ユーザからユーザ入力事項を受信して推薦語自動完成システム１００の質問自動完成サーバに伝達し、質問自動完成サーバは、ウェブサーバからユーザ入力事項の伝達を受け（受信し）、自動完成索引データベースからユーザ入力事項と関連した一般自動完成推薦語および広告自動完成推薦語を抽出してウェブサーバに送信する。これにより、ウェブサーバは、質問自動完成サーバから一般自動完成推薦語および広告自動完成推薦語を受信してウェブページ上に出力する。
【００２０】
図２は、本発明の一実施形態に係る一般推薦語および広告推薦語自動完成システムの構成を示すブロック図である。
【００２１】
本実施形態に係る推薦語自動完成システム２００は、一般自動完成推薦語を記録して保持する一般自動完成推薦語データベース２０１と、広告自動完成推薦語を記録する広告推薦語データベース２０２と、一般自動完成推薦語および広告自動完成推薦語を字素単位、音節単位、またはサフィックスによって分類する自動完成索引器２０３と、索引された一般自動完成推薦語および広告自動完成推薦語を字素単位索引、音節単位索引、またはサフィックス索引別に区分して記録する自動完成索引データベース２０４と、ユーザからユーザ入力事項を受信して質問自動完成サーバ２０５に伝達し、質問自動完成サーバ２０５から一般自動完成推薦語および広告自動完成推薦語を受信してウェブページ上に出力するウェブサーバ２０６と、ウェブサーバ２０６からユーザ入力事項が伝達され、自動完成索引データベース２０４からユーザ入力事項と関連した一般自動完成推薦語および広告自動完成推薦語を抽出してウェブサーバ２０６に送信する質問自動完成サーバ２０５を備えて構成することができる。
【００２２】
また、本発明の他の実施形態によれば、ウェブサーバ２０６は、所定の出力領域に一般自動完成推薦語を出力し、出力領域の一定部分を広告領域として特化し、広告領域に広告自動完成推薦語を出力する。このとき、ウェブサーバ２０６は、広告自動完成推薦語を一般自動完成推薦語と差別表示して出力することができる。
【００２３】
また、本発明のさらに他の実施形態によれば、課金サーバ２０７は、広告自動完成推薦語を所定の広告主に販売し、広告自動完成推薦語をウェブページ上に露出することによる広告費用を広告主に課金する。例えば、課金サーバ２０７は、ユーザから広告自動完成推薦語がクリックされるクリック回数をカウントし、クリック回数に応じて広告費用を課金したり、所定の一定期間の間に広告自動完成推薦語をウェブページ上に露出し、露出された一定期間に応じて広告費用を課金したりできる。さらに、課金サーバ２０７は、所定の競売方式を適用して広告自動完成推薦語を販売することができる。
【００２４】
図３は、本発明の他の実施形態に係る一般推薦語および広告推薦語自動完成方法を説明するためのフローチャートである。本実施形態に係る一般推薦語および広告推薦語自動完成方法は、図２に示すような推薦語自動完成システム２００によって実行することができる。
【００２５】
ステップＳ３０１で、推薦語自動完成システム２００の質問自動完成サーバ２０５は、一般自動完成推薦語を一般自動完成推薦語データベース２０１に記録して保持する。
【００２６】
一般自動完成推薦語とは、推薦語自動完成システム２００のウェブサーバ２０６が保持する所定の検索ウェブサイトでユーザが入力した全体質問セット（ｑｕｅｒｙ  ｓｅｔ）であり、各質問語別に検索頻度を含むことができる。検索頻度は、例えば、特定の質問語が一定期間内に何回入力されるかを分析して生成した一種の統計情報であることができる。
【００２７】
ステップＳ３０２で、推薦語自動完成システム２００の質問自動完成サーバ２０５は、広告自動完成推薦語を広告推薦語データベース２０２に記録して保持する。
【００２８】
図４は、索引別に区分された広告自動完成推薦語を記録する広告推薦語データベース２０２の一例を示す図である。
【００２９】
図４で示すように、広告推薦語データベース２０２は、各索引別に広告自動完成推薦語を含むことができる。広告自動完成推薦語とは、広告のための推薦質問語であって、会社のホームページにすぐに連結するＵＲＬ情報を含んだり、検索結果上に会社の広告がすぐに出力されたりするものである。例えば、字素単位の広告自動完成推薦語としては、
2009528614.tif 000003
に対しては
2009528614.tif 000004
などが広告自動完成推薦語として記録され、
2009528614.tif 000005
に対しては
2009528614.tif 000006
などが広告自動完成推薦語として記録され、
2009528614.tif 000007
に対しては
2009528614.tif 000008
などが広告自動完成推薦語として記録される。
【００３０】
また、音節単位の広告自動完成推薦語としては、
2009528614.tif 000009
に対しては
2009528614.tif 000010
などが広告自動完成推薦語として記録され、
2009528614.tif 000011
に対しては
2009528614.tif 000012
などが広告自動完成推薦語として記録され、
2009528614.tif 000013
に対しては
2009528614.tif 000014
などが広告自動完成推薦語として記録される。
【００３１】
また、サフィックスの広告自動完成推薦語としては、
2009528614.tif 000015
に対しては
2009528614.tif 000016
などが広告自動完成推薦語として記録され、
2009528614.tif 000017
に対しては
2009528614.tif 000018
などが広告自動完成推薦語として記録され、
2009528614.tif 000019
に対しては
2009528614.tif 000020
などが広告自動完成推薦語として記録される。
【００３２】
ステップＳ３０３で、推薦語自動完成システム２００のウェブサーバ２０６は、ユーザからユーザ入力事項を受信して質問自動完成サーバ２０５に伝達する。本実施形態において、ウェブサーバ２０６は、ユーザからユーザ入力事項と共に設定モードを受信することができ、設定モードは、字素単位索引、音節単位索引、またはサフィックス索引のうちの少なくとも１つの索引に対する選択情報を含む。
【００３３】
ステップＳ３０４で、推薦語自動完成システム２００の質問自動完成サーバ２０５は、ウェブサーバ２０６からユーザ入力事項が伝達され、自動完成索引データベース２０４からユーザ入力事項と関連した一般自動完成推薦語および広告自動完成推薦語を抽出する。
【００３４】
推薦語自動完成システム２００の自動完成索引器２０３は、一般自動完成推薦語データベース２０１に記録された一般自動完成推薦語および広告推薦語データベース２０２に記録された広告自動完成推薦語を字素単位、音節単位、またはサフィックスによって索引する。このために、自動完成索引器２０３は、字素単位索引器、音節単位索引器、およびサフィックス索引器を備えることができる。
【００３５】
したがって、１つの質問語が１つの方法だけで索引されるのではなく、索引された方法によって字素単位、音節単位、サフィックスすべてで分類される。例えば、
2009528614.tif 000021
という質問語は、
2009528614.tif 000022
のような字素単位に索引されると同時に
2009528614.tif 000023
という音節単位でも索引され、さらにこれと共に
2009528614.tif 000024
というサフィックスでも索引される。
【００３６】
日本語や漢字のような外来文字と区別されるハングルの最大の特性は、字素単位で構成されるという点である。すなわち、ハングルは、初声１９個、中声２１個、終声２８個の基本字素を規則的に結合して１つの文字を生成する。このようなハングルの特性に基づいて、自動完成索引器２０３の字素単位索引器は、一般自動完成推薦語データベース２０１に記録された一般自動完成推薦語を字素単位によって分類する役割を実行する。
【００３７】
本発明で用いられる「字素単位」という用語は、上述した初声、中声、終声のそれぞれのように一般的な意味の字素を含むことは勿論であり、初声と終声が結合したすべての文字および単語をすべて含む。例えば、
2009528614.tif 000025
という用語は、
2009528614.tif 000026
と
2009528614.tif 000027
という２つの字素単位に分けることもできるが、それ自体で１つの字素単位に該当することができる。
【００３８】
また、本発明において「字素単位」という用語は、「入力端末機の最小入力単位」の概念を含む。例えば、ハングル２ボル式キーボードでは、
2009528614.tif 000028
を入力するために
2009528614.tif 000029
と
2009528614.tif 000030
を入力しなければならないが、単純な字素単位であれば、
2009528614.tif 000031
という単語は
2009528614.tif 000032
と索引されるはずであるが、本発明における「字素単位」は、上述したように「入力端末機の最小入力単位」の概念を含むため、ハングル２ボル式キーボードの場合には
2009528614.tif 000033
と索引される。また、入力端末機が異なる入力方式による端末機に変われば、それに応じて最小単位入力の索引が変更するようになる。
【００３９】
また、自動完成索引器２０３の音節単位索引器は、一般自動完成推薦語データベース２０１に記録された一般自動完成推薦語を音節単位によって分類し、自動完成索引器２０３のサフィックス索引器は、一般自動完成推薦語データベース２０１に記録された一般自動完成推薦語をサフィックスによって分類する役割を実行する。
【００４０】
一般的に、サフィックスは接辞の１つであり、単語の後ろに付いて意味を添加して他の単語をなす言葉であって、単独では用いることができず、常に他の単語の語根の後ろに結合して多様な意味を添加する役割を行う接尾辞を意味する。例えば、体言に付く接尾辞としては、尊称を示す
2009528614.tif 000034
や動作主を示す
2009528614.tif 000035
など、複数を示す
2009528614.tif 000036
、その他にも
2009528614.tif 000037
などがあり、用言に付く接尾辞としては、使動・受動を示す
2009528614.tif 000038
などを挙げることができる。
【００４１】
しかしながら、本発明で用いられる「サフィックス」という用語は、上述した一般的な意味の接尾辞をすべて含むことは勿論であるし、このような接尾辞の他にも単語の後端に位置することができるすべての文字および単語を意味する。
【００４２】
例えば、
2009528614.tif 000039
という用語は、一般的な意味の接尾辞には該当しないが、
2009528614.tif 000040
などのように他の単語の後端に位置することができる単語に該当するため、本発明で用いられるサフィックスの範疇に含まれる。このように、本発明において「サフィックス」は、「後ろから音節単位索引」に該当する概念であり、
2009528614.tif 000041
のように１つの完成した名詞を完成しなくても、例えば
2009528614.tif 000042
という用語はこれ自体では完成した名詞であるとは言えないが、
2009528614.tif 000043
などの質問語を完成させる役割を行う以上、本発明で用いられるサフィックスの範疇に含まれる。
【００４３】
本実施形態において、１つの質問語は１つの索引でのみ区分されるのではなく、その索引された方法によって字素単位、音節単位、サフィックスすべてで区分することができる。例えば、
2009528614.tif 000044
という一般自動完成推薦語は
2009528614.tif 000045
のような字素単位索引に記録されると同時に、
2009528614.tif 000046
という音節単位索引にも記録されるし、
2009528614.tif 000047
というサフィックス索引でも索引することができる。
【００４４】
また、本発明の他の実施形態によれば、質問自動完成サーバ２０５は、広告のための目的として広告自動完成推薦語を抽出するものであって、ユーザの便宜のための目的として抽出する一般自動完成推薦語よりも少なく抽出されることが好ましい。したがって、質問自動完成サーバ２０５は、抽出された自動完成質問語数よりも小さい、例えば１〜２個の広告自動完成推薦語のみを抽出することができる。
【００４５】
本発明のさらに他の実施形態によれば、質問自動完成サーバ２０５は、一般自動完成推薦語を抽出することにおいて、ユーザ入力事項と関連した検索頻度の順序に所定数の一般自動完成推薦語を抽出することができる。
【００４６】
例えば、質問自動完成サーバ２０５は、ユーザが
2009528614.tif 000048
を検索窓に入力したからといって
2009528614.tif 000049
で始まるすべての一般自動完成推薦語を抽出するのではなく、事前に定められた、例えば８個の一般自動完成推薦語のみを抽出することができる。また、このような場合に、質問自動完成サーバ２０５は、８個の一般自動完成推薦語を検索頻度の順序で決定することで、結果的にはユーザの入力する可能性が最も高い質問語だけがユーザに提供されるようにできる。
【００４７】
ステップＳ３０５で、質問自動完成サーバ２０５は、このように抽出された一般自動完成推薦語および広告自動完成推薦語をウェブサーバ２０６に送信する。
【００４８】
ステップＳ３０６で、ウェブサーバ２０６は、質問自動完成サーバ２０５から一般自動完成推薦語および広告自動完成推薦語を受信してウェブページに出力する。この場合に、ウェブサーバ２０６は、出力領域の一定部分を広告領域として特化し、広告領域に広告自動完成推薦語を出力し、広告自動完成推薦語を一般自動完成推薦語と相違させて表示することができる。例えば、ウェブサーバ２０６は、広告自動完成推薦語を一般自動完成推薦語よりもフォントを大きく出力したり、一般自動完成推薦語とは異なる色で出力したり、下線を引いて出力したりできる。
【００４９】
図５は、ユーザが字素単位に該当する事項を入力した場合にユーザに提供される自動完成質問語リストの一例を示す図である。
【００５０】
図５に示すように、ユーザが検索窓に
2009528614.tif 000050
を入力した場合に、この設定モードは字素単位索引に対する選択情報として自動決定され、推薦語自動完成システム２００は、ステップＳ３０３〜ステップＳ３０６の過程を実行し、字素単位索引
2009528614.tif 000051
で分類された
2009528614.tif 000052
などの一般自動完成推薦語と、
2009528614.tif 000053
の広告自動完成推薦語を含む自動完成質問語リストを検索窓の下側に出力することができる。
【００５１】
この場合に、推薦語自動完成システム２００のウェブサーバ２０６は、出力領域５０１の一定部分を広告領域５０２として特化し、広告領域５０２に広告自動完成推薦語を出力し、広告領域５０２をユーザの目に止まる部分として設定することができる。図５に示すように、広告領域を出力領域の中間として設定することができ、広告自動完成推薦語を一般自動完成推薦語と相違して表示することができる。さらに、符号５０３のように、広告アイコンを広告自動完成推薦語と共に表示してユーザが容易に確認できるようにできる。
【００５２】
図６は、設定モードとして字素単位索引が選択された場合にユーザに提供される自動完成質問語リストの一例を示す図である。
【００５３】
図６に示すように、ユーザが検索窓に
2009528614.tif 000054
を入力した場合に、この設定モードは字素単位索引、音節単位索引、サフィックス索引のうちのいずれか１つに対する選択情報であるが、図６はこのうちの字素単位索引が選択された場合にユーザに提供される自動完成質問語リストの一例である。
【００５４】
このように、ユーザが入力した事項の最後の音節が初声で終わる場合を除いては、すべてのユーザ入力事項において、設定モードは、字素単位索引、音節単位索引、サフィックス索引のうちのいずれか１つに対する選択情報であることができる。ただし、設定モードとしてどのようなモードが選択されるのかによって、質問完成結果は相違して出力されるようになる。
【００５５】
このような設定モードは、ユーザによって選択されたり、ユーザではなく推薦語自動完成システム２００によって任意に選択されたりできる。
【００５６】
一方、このようにユーザ入力事項として
2009528614.tif 000055
を、設定モードとして「字素単位索引」を受信した推薦語自動完成システム２００は、ステップＳ３０３〜ステップＳ３０６の過程を実行し、字素単位索引
2009528614.tif 000056
で分類された
2009528614.tif 000057
などの一般自動完成推薦語と、
2009528614.tif 000058
などの広告自動完成推薦語とを含む自動完成質問語リストを検索窓の下側に出力することができる。
【００５７】
この場合に、符号６０１に示すように、推薦語自動完成システム２００のウェブサーバ２０６は、広告領域を出力領域の上端として設定し、自動完成質問語リストの上端に広告自動完成推薦語が出力されるようにし、広告自動完成推薦語を一般自動完成推薦語と相違して表示する。また、符号６０２のように、広告アイコンを広告自動完成推薦語と共に表示することができる。
【００５８】
本実施形態によれば、広告自動完成推薦語は、質問語の各索引別に格納することができるため、字素単位索引、音節単位索引、サフィックス索引によって広告自動完成推薦語が異なる場合がある。例えば、
2009528614.tif 000059
のような場合に音節単位索引に対してのみ広告自動完成推薦語として出力されるように設定し、図６のように、字素単位索引では広告自動完成推薦語ではない一般自動完成推薦語として出力し、音節単位索引では広告自動完成推薦語として出力することができる。
【００５９】
図７は、設定モードとして音節単位索引が選択された場合にユーザに提供される自動完成質問語リストの一例を示す図である。
【００６０】
図７に示すように、ユーザが検索窓に
2009528614.tif 000060
を入力した場合に、図７は、この設定モードとして音節単位索引が選択された場合にユーザに提供される自動完成質問語リストの一例である。このような設定モードは、ユーザによって選択されたり、ユーザではなく推薦語自動完成システム２００によって任意に選択されたりすることは上述したとおりである。
【００６１】
一方、このようにユーザ入力事項として
2009528614.tif 000061
を、設定モードとして「音節単位索引」を受信した推薦語自動完成システム２００は、ステップＳ３０３〜ステップＳ３０６の過程を実行し、音節単位索引
2009528614.tif 000062
で分類された
2009528614.tif 000063
などの一般自動完成推薦語と、
2009528614.tif 000064
などの広告自動完成推薦語とを含む自動完成質問語リストを検索窓の下側に出力することができる。
【００６２】
このような場合にも、符号７０１で示すように、ウェブサーバ２０６は、広告自動完成推薦語を一般自動完成推薦語と相違して表示し、広告領域は自動完成質問語リストの上端として決定して、自動完成質問語リストの上端に広告自動完成推薦語を出力することができる。さらに、符号７０２のように、広告アイコンを広告自動完成推薦語と共に表示することができる。
【００６３】
図８は、設定モードとしてサフィックス索引が選択された場合にユーザに提供される自動完成質問語リストの一例を示す図である。
【００６４】
図８に示すように、ユーザが検索窓に
2009528614.tif 000065
を入力した場合に、図７とは異なり、図８は、設定モードとしてサフィックス索引が選択された場合にユーザに提供される自動完成質問語リストの一例である。このような設定モードは、ユーザによって選択されたり、推薦語自動完成システム２００によって任意に選択されたりすることは上述したとりである。
【００６５】
一方、このようにユーザ入力事項として
2009528614.tif 000066
を、設定モードとして「サフィックス索引」を受信した推薦語自動完成システム２００は、ステップＳ３０５〜ステップＳ３０７の過程を実行し、サフィックス索引
2009528614.tif 000067
を用いて
2009528614.tif 000068
などの一般自動完成推薦語と、
2009528614.tif 000069
などの広告自動完成推薦語とを含む自動完成質問語リストを検索窓の下側に出力することができる。
【００６６】
この場合には、符号８０１で示すように、ウェブサーバ２０６は、広告領域を出力領域の中間として設定することができ、広告自動完成推薦語を一般自動完成推薦語と相違して表示することができる。さらに、符号８０２のように、広告アイコンを広告自動完成推薦語と共に表示することができる。
【００６７】
本発明の一実施形態によれば、課金サーバ２０７は、クリック回数または一定期間に応じて広告費用を算定する。例えば、課金サーバ２０７は、ユーザがウェブページ上に出力された広告自動完成推薦語がクリックされる回数をカウントし、クリック回数に応じて所定の広告主に広告費用を課金することができる。例えば、１回あたり１００ウォン、１００回あたり７，０００ウォンなどのクリック回数、または１０日に１万ウォン、３０日に１０万ウォンなどの一定期間に応じて広告費用を決定することができる。課金サーバ２０７は、広告自動完成推薦語を登録した広告主に広告費用を請求して収益を得ることができる。さらに、課金サーバ２０７は、所定の競売方式を適用して広告自動完成推薦語を販売することができる。
【００６８】
なお、本発明に係る一般推薦語および広告推薦語自動完成方法は、コンピュータにより実現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を格納して実行するように特別に構成されたハードウェア装置が含まれる。また、記録媒体は、プログラム命令、データ構造などを格納する信号を送信する搬送波を含む光または金属線、導波管などの送信媒体でもある。プログラム命令の例としては、コンパイラによって生成されるような機械語コードだけでなく、インタプリタなどを用いてコンピュータによって実行され得る高級言語コードを含む。前記したハードウェア要素は、本発明の動作を実行するために一以上のソフトウェアモジュールとして作動するように構成することができ、その逆もできる。
【００６９】
本発明によれば、ユーザから入力されたユーザ入力状況に合わせて一般自動完成推薦語と共に広告のための広告自動完成推薦語を提示することで、広告効果を極大化させることができる。
【００７０】
また、本発明によれば、ウェブサーバで一般自動完成推薦語を提示する出力領域の一定部分を広告領域として特化し、広告領域に出力される広告自動完成推薦語を広告主に販売することで、新しい収益モデルを構築することができる。
【００７１】
また、本発明によれば、広告領域に出力される広告自動完成推薦語に対してクリック回数または広告推薦語露出期間に応じて広告費用を決定し、広告費用を広告主に課金させることで、広告自動完成推薦語をユーザに提示することによる収益を創出することができる。
【００７２】
さらに、本発明によれば、一般自動完成推薦語および広告自動完成推薦語を多様な基準による索引別に区分し、ユーザから受信されるユーザ入力事項および設定モードに応じてユーザが入力中である質問語を自動で完成することができる自動完成質問語リストを提供することで、ユーザが質問語を入力する途中に所望する質問語を選択し、容易に質問語を完成することができる。
【００７３】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【図面の簡単な説明】
【００７４】
【図１】本発明に係る一般推薦語および広告推薦語自動完成システムのネットワーク連結を示す図である。
【図２】本発明の一実施形態に係る一般推薦語および広告推薦語自動完成システムの構成を示すブロック図である。
【図３】本発明の他の実施形態に係る一般推薦語および広告推薦語自動完成方法を説明するためのフローチャートである。
【図４】本発明に係る索引別に区分された広告自動完成推薦語を記録する広告推薦語データベースの一例を示す図である。
【図５】本発明に係るユーザが字素単位に該当する事項を入力した場合にユーザに提供される自動完成質問語リストの一例を示す図である。
【図６】本発明に係る設定モードとして字素単位索引が選択された場合にユーザに提供される自動完成質問語リストの一例を示す図である。
【図７】本発明に係る設定モードとして音節単位索引が選択された場合にユーザに提供される自動完成質問語リストの一例を示す図である。
【図８】本発明に係る設定モードとしてサフィックス索引が選択された場合にユーザに提供される自動完成質問語リストの一例を示す図である。
【図１】
2009528614.tif 000070
【図２】
2009528614.tif 000071
【図３】
2009528614.tif 000072
【図４】
2009528614.tif 000073
【図５】
2009528614.tif 000074
【図６】
2009528614.tif 000075
【図７】
2009528614.tif 000076
【図８】
2009528614.tif 000077
【国際調査報告】
2009528614.tif 000078
2009528614.tif 000079